(57)【要約】【課題】赤色とその他の色とを判別しにくい色弱者が、赤色とその他の色とによってもともと区分けされていた内容を見分けやすくする。【解決手段】情報処理装置は、赤色文字に網掛け文字飾りを施した文書画像データを生成する。網掛け文字飾りの処理は、赤色の文字の画像を含む領域の大きさが閾値以上の場合には、模様画像の透過率を第１の値とした画像データを生成し、赤色の文字の画像を含む領域の大きさが閾値未満の場合には、模様画像の透過率を前記第１の値よりも小さい第２の値とした画像データを生成する処理と、赤色の文字の画像を含む領域の面積に対して赤色の文字の画像の面積の占める割合が閾値以上の場合、又は、赤色の文字の画像を含む領域が複数ある場合に、お互いの間の距離が閾値を超える場合に、当該領域の面積を拡張した文書画像データを生成する。【選択図】図６
2010231278.tif 000002
【特許請求の範囲】
【請求項１】
色空間における赤色の範囲を記憶する赤色記憶手段と、
文字を含む画像を表す画像データを取得する取得手段と、
前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む前記領域の大きさが閾値以上の場合には、前記模様画像の透過率を第１の値とした画像データを生成し、赤色の文字の画像を含む領域の大きさが前記閾値未満の場合には、前記模様画像の透過率を前記第１の値よりも小さい第２の値とした画像データを生成する生成手段と
を備えることを特徴とする画像処理装置。
【請求項２】
色空間における赤色の範囲を記憶する赤色記憶手段と、
文字を含む画像を表す画像データを取得する取得手段と、
前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域の面積に対して当該赤色の文字の画像の面積の占める割合が閾値以上の場合は、当該赤色の文字の画像を含む領域の面積を、前記取得手段によって取得された画像データにおける当該領域の面積よりも拡張した画像データを生成する生成手段と
を備えることを特徴とする画像処理装置。
【請求項３】
色空間における赤色の範囲を記憶する赤色記憶手段と、
文字を含む画像を表す画像データを取得する取得手段と、
前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域が複数ある場合に、当該領域間の距離が閾値を超える当該領域の面積を、前記取得手段によって取得された画像データにおける当該領域の面積よりも拡張した画像データを生成する生成手段と
を備えることを特徴とする画像処理装置。
【請求項４】
色空間における赤色の範囲を記憶する赤色記憶手段と、
文字を含む画像を表す画像データを取得する取得手段と、
前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、
前記取得手段によって取得された画像データにおいて赤色の文字の画像を含む領域の大きさが第１の閾値以上の場合には、当該領域の面積に対して前記模様画像の面積が占める割合を前記第１の値とし、更に、赤色の文字の画像を含む領域の面積に対して当該赤色の文字の画像の面積の占める割合が第２の閾値以上の場合には、当該領域の面積を、前記取得手段によって取得された画像データにおける当該領域の面積よりも拡張した画像データを生成し、
前記取得手段によって取得された画像データにおいて赤色の文字の画像を含む領域の大きさが前記第１の閾値未満の場合には、当該領域の面積に対して前記模様画像の面積が占める割合を前記第１の値よりも大きい第２の値とし、更に、赤色の文字の画像を含む領域が複数あり、当該領域間の距離が第３の閾値を超える場合には、当該領域の面積を、前記取得手段によって取得された画像データにおける当該領域の面積よりも拡張した画像データを生成する生成手段と
を備えることを特徴とする画像処理装置。
【請求項５】
請求項１〜４のいずれかに記載の画像処理装置と、
前記画像処理装置によって生成された画像データに応じた画像を記録媒体に形成する画像形成手段と
を備えることを特徴とする画像形成装置。
【請求項６】
コンピュータを、
色空間における赤色の範囲を記憶する赤色記憶手段と、
文字を含む画像を表す画像データを取得する取得手段と、
前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む前記領域の大きさが閾値以上の場合には、前記模様画像の透過率を第１の値とした画像データを生成し、赤色の文字の画像を含む領域の大きさが前記閾値未満の場合には、前記模様画像の透過率を前記第１の値よりも小さい第２の値とした画像データを生成する生成手段と
して実現させるためのプログラム。
【請求項７】
コンピュータを、
色空間における赤色の範囲を記憶する赤色記憶手段と、
文字を含む画像を表す画像データを取得する取得手段と、
前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域の面積に対して当該赤色の文字の画像の面積の占める割合が閾値以上の場合は、当該赤色の文字の画像を含む領域の面積を、前記取得手段によって取得された画像データにおける当該領域の面積よりも拡張した画像データを生成する生成手段と
して実現させるためのプログラム。
【請求項８】
コンピュータを、
色空間における赤色の範囲を記憶する赤色記憶手段と、
文字を含む画像を表す画像データを取得する取得手段と、
前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域が複数ある場合に、当該領域間の距離が閾値を超える当該領域の面積を、前記取得手段によって取得された画像データにおける当該領域の面積よりも拡張した画像データを生成する生成手段と
して実現させるためのプログラム。
【発明の詳細な説明】
【技術分野】
【０００１】
本発明は、画像処理装置、画像形成装置及びプログラムに関する。
【背景技術】
【０００２】
人間の遺伝子のタイプの違いや目の疾患によって色の見え方が異なる場合があり、特定の範囲の色を判別しにくい状態は例えば「色弱」と呼ばれている。特許文献１と特許文献２には、複写機やプリンタなどの画像形成装置において、色弱者であっても色の区別がつくような画像を記録用紙に形成する技術が開示されている。
【先行技術文献】
【特許文献】
【０００３】
【特許文献１】特開２００４−０７８３２５号公報
【特許文献２】特開２００４−０８０１１８号公報
【発明の概要】
【発明が解決しようとする課題】
【０００４】
本発明は、赤色とその他の色とを判別しにくい色弱者が、赤色とその他の色とによってもともと区分けされていた内容を見分けやすくすることを目的とする。
【課題を解決するための手段】
【０００５】
請求項１に係る発明は、色空間における赤色の範囲を記憶する赤色記憶手段と、文字を含む画像を表す画像データを取得する取得手段と、前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む前記領域の大きさが閾値以上の場合には、前記模様画像の透過率を第１の値とした画像データを生成し、赤色の文字の画像を含む領域の大きさが前記閾値未満の場合には、前記模様画像の透過率を前記第１の値よりも小さい第２の値とした画像データを生成する生成手段とを備えることを特徴とする画像処理装置である。
請求項２に係る発明は、色空間における赤色の範囲を記憶する赤色記憶手段と、文字を含む画像を表す画像データを取得する取得手段と、前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域の面積に対して当該赤色の文字の画像の面積の占める割合が閾値以上の場合は、当該赤色の文字の画像を含む領域の面積を、前記取得手段によって取得された画像データにおける当該領域の面積よりも拡張した画像データを生成する生成手段とを備えることを特徴とする画像処理装置である。
請求項３に係る発明は、色空間における赤色の範囲を記憶する赤色記憶手段と、文字を含む画像を表す画像データを取得する取得手段と、前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域が複数ある場合に、当該領域間の距離が閾値を超える当該領域の面積を、前記取得手段によって取得された画像データにおける当該領域の面積よりも拡張した画像データを生成する生成手段とを備えることを特徴とする画像処理装置である。
請求項４に係る発明は、色空間における赤色の範囲を記憶する赤色記憶手段と、文字を含む画像を表す画像データを取得する取得手段と、前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、前記取得手段によって取得された画像データにおいて赤色の文字の画像を含む領域の大きさが第１の閾値以上の場合には、当該領域の面積に対して前記模様画像の面積が占める割合を前記第１の値とし、更に、赤色の文字の画像を含む領域の面積に対して当該赤色の文字の画像の面積の占める割合が第２の閾値以上の場合には、当該領域の面積を、前記取得手段によって取得された画像データにおける当該領域の面積よりも拡張した画像データを生成し、前記取得手段によって取得された画像データにおいて赤色の文字の画像を含む領域の大きさが前記第１の閾値未満の場合には、当該領域の面積に対して前記模様画像の面積が占める割合を前記第１の値よりも大きい第２の値とし、更に、赤色の文字の画像を含む領域が複数あり、当該領域間の距離が第３の閾値を超える場合には、当該領域の面積を、前記取得手段によって取得された画像データにおける当該領域の面積よりも拡張した画像データを生成する生成手段とを備えることを特徴とする画像処理装置である。
請求項５に係る発明は、請求項１〜４のいずれかに記載の画像処理装置と、前記画像処理装置によって生成された画像データに応じた画像を記録媒体に形成する画像形成手段とを備えることを特徴とする画像形成装置である。
請求項６に係る発明は、コンピュータを、色空間における赤色の範囲を記憶する赤色記憶手段と、文字を含む画像を表す画像データを取得する取得手段と、前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む前記領域の大きさが閾値以上の場合には、前記模様画像の透過率を第１の値とした画像データを生成し、赤色の文字の画像を含む領域の大きさが前記閾値未満の場合には、前記模様画像の透過率を前記第１の値よりも小さい第２の値とした画像データを生成する生成手段として実現させるためのプログラムである。
請求項７に係る発明は、コンピュータを、色空間における赤色の範囲を記憶する赤色記憶手段と、文字を含む画像を表す画像データを取得する取得手段と、前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域の面積に対して当該赤色の文字の画像の面積の占める割合が閾値以上の場合は、当該赤色の文字の画像を含む領域の面積を、前記取得手段によって取得された画像データにおける当該領域の面積よりも拡張した画像データを生成する生成手段として実現させるためのプログラムである。
請求項８に係る発明は、コンピュータを、色空間における赤色の範囲を記憶する赤色記憶手段と、文字を含む画像を表す画像データを取得する取得手段と、前記取得手段によって取得された画像データに基づいて、当該画像データが表す画像において前記赤色記憶手段により記憶されている範囲に含まれる赤色の文字の画像を含む領域内に、決められた模様の画像である模様画像が配置された画像データを生成する生成手段であって、赤色の文字の画像を含む領域が複数ある場合に、当該領域間の距離が閾値を超える当該領域の面積を、前記取得手段によって取得された画像データにおける当該領域の面積よりも拡張した画像データを生成する生成手段として実現させるためのプログラムである。
【発明の効果】
【０００６】
請求項１記載の発明によれば、赤色の文字とその他の色とを区別しやすくする模様画像を配置した画像データを生成する場合に、赤色の文字の画像を含む領域の大きさが閾値未満であることから色弱者がこれらの両者を区別しづらい状況であっても、その色弱者にとって、赤色とその他の色とによってもともと区分けされていた内容を見分けやすくなる。
請求項２記載の発明によれば、赤色の文字とその他の色とを区別しやすくする模様画像を配置した画像データを生成する場合に、赤色の文字の画像を含む領域の面積に対して当該赤色の文字の画像の面積の占める割合が閾値以上であることから色弱者がこれらの両者を区別しづらい状況であっても、その色弱者にとって、赤色とその他の色とによってもともと区分けされていた内容を見分けやすくなる。
請求項３記載の発明によれば、赤色の文字とその他の色とを区別しやすくする模様画像を配置した画像データを生成する場合に、赤色の文字を含む領域どうしの間の距離が閾値を超えていることから色弱者がこれらの両者を区別しづらい状況であっても、その色弱者にとって、赤色とその他の色とによってもともと区分けされていた内容を見分けやすくなる。
請求項４記載の発明によれば、赤色の文字の画像を含む領域の大きさが閾値未満であり、且つ、赤色の文字を含む領域どうしの間の距離が閾値を超えていることから、色弱者がこれらの両者を特に区別しづらい状況であっても、その色弱者にとって、赤色とその他の色とによってもともと区分けされていた内容を見分けやすくなる。また、請求項４記載の発明によれば、赤色の文字の画像を含む領域の大きさが閾値以上であったとしても、赤色の文字の画像を含む領域の面積に対して当該赤色の文字の画像の面積の占める割合が閾値以上であることから、色弱者がこれらの両者を区別しづらい状況であっても、その色弱者にとって、赤色とその他の色とによってもともと区分けされていた内容を見分けやすくなる。
請求項５記載の発明によれば、赤色の文字とその他の色とを区別しやすくする模様画像を配置した画像データを生成する場合に、赤色の文字の画像を含む領域の大きさが閾値未満であることから色弱者がこれらの両者を区別しづらい状況であっても、その色弱者にとって、赤色とその他の色とによってもともと区分けされていた内容を見分けやすくなる。
請求項６記載の発明によれば、赤色の文字とその他の色とを区別しやすくする模様画像を配置した画像データを生成する場合に、赤色の文字の画像を含む領域の面積に対して当該赤色の文字の画像の面積の占める割合が閾値以上であることから色弱者がこれらの両者を区別しづらい状況であっても、その色弱者にとって、赤色とその他の色とによってもともと区分けされていた内容を見分けやすくなる。
請求項７記載の発明によれば、赤色の文字とその他の色とを区別しやすくする模様画像を配置した画像データを生成する場合に、赤色の文字を含む領域どうしの間の距離が閾値を超えていることから色弱者がこれらの両者を区別しづらい状況であっても、その色弱者にとって、赤色とその他の色とによってもともと区分けされていた内容を見分けやすくなる。
【図面の簡単な説明】
【０００７】
【図１】本発明の実施形態に係るシステムの全体構成を示す図である。
【図２】同実施形態に係る画像形成装置１の構成を示したブロック図である。
【図３】同実施形態に係る情報処理装置３の構成を示したブロック図である。
【図４】同実施形態に係る情報処理装置３がプリンタドライバを実行するときの動作を説明するフローチャートである。
【図５】同実施形態において、強調対応処理の実施有無を確認するポップアップ画面５を示す図である。
【図６】同実施形態に係る強調対応処理を説明するフローチャートである。
【図７】同実施形態に係る文書画像データを示す図である。
【図８】同実施形態に係る文書画像データを示す図である。
【図９】同実施形態に係る文書画像データを示す図である。
【図１０】同実施形態に係る文書画像データを示す図である。
【図１１】強調対応処理の内容を設定するための画面１１を示す図である。
【発明を実施するための形態】
【０００８】
一般色覚者の目の網膜には、光の波長によって感じ方（分光感度）が異なるＬ錐体、Ｍ錐体、Ｓ錐体の３種類の錐体がある。一方、色弱者は、錐体の種類や分光感度が一般色覚者と異なり、赤色、黄色、青色というようなそれぞれの色相を区別する情報に乏しいため、彩度差と明度差のみからしか色の判別を行うことができない。色弱には幾つかの種類があるが、例えば赤色の色相を認識できないために、赤色と黒色などの無彩色との判別が難しい場合がある。赤色は、文書などの情報を提示する書類において、重要な内容、強調したい内容、閲覧者に注意を喚起したい内容などを修飾するのに用いられる。そのために利用者が、この赤色をその他の色と判別できないと、文書などを閲覧するうえで支障が生じる場合が多い。以下では、赤色によって修飾された文書を例に挙げて、本発明の実施形態について説明する。なお、以下の説明における赤色とは、赤（Red）、緑（Green）、青（Blue）の３つの原色を混ぜて幅広い色を再現する加法混色の一種であるＲＧＢ色空間において、それぞれの原色を８ビット(２５６階調)で表現すると、（Ｒ，Ｇ，Ｂ）＝（２２０〜２５５，０〜５５，０〜５５）の範囲で表現される色を想定する。なお、本実施形態において、ＡとＢの範囲を表す為に「Ａ〜Ｂ」という表現を用いた場合には、Ａ以上Ｂ以下の範囲を表すものと定義する。
【０００９】
（１）構成
図１は、本実施形態に係るシステムの全体構成を示す図である。
画像形成装置１と情報処理装置３とは、ＷＡＮ（Wide Area Network）やＬＡＮ（Local Area Network）などの情報を伝達するための通信網であるネットワーク２で接続されている。画像形成装置１は、例えば複写、プリント及びスキャンなどの機能が一つにまとめられた機器であり、記録用紙に画像を形成したり、記録用紙から画像を読み取ったりする。情報処理装置３は、例えばパーソナルコンピュータであり、各種の画像処理を行ったり、画像データをネットワーク２経由で画像形成装置１に供給し、その画像データに応じた画像を形成するよう画像形成装置１に指示したりする。なお、図１において１台の画像形成装置１と３台の情報処理装置３を図示しているが、ネットワーク２に接続される画像形成装置１や情報処理装置３の数はこれに限らない。
【００１０】
図２は、画像形成装置１の構成を示したブロック図である。
画像形成装置１は、制御部１１、記憶部１２、操作部１３、表示部１４、通信部１５、画像読取部１６、及び画像形成部１７を備えている。制御部１１は、ＣＰＵ（Central Processing Unit）と、ＲＯＭ（Read Only Memory）と、ＲＡＭ（Random Access Memory）とを備えており、ＣＰＵがＲＯＭや記憶部１２に記憶されているプログラムを実行することによって画像形成装置１の各部を制御する。記憶部１２は、ＨＤ（Hard Disk）などの不揮発性の補助記憶装置であり、各種のプログラムやデータが記憶されている。操作部１３は、複数のキーを備えており、利用者の操作を受け付けてその操作に応じた信号を制御部１１に供給する。表示部１４は、ＶＲＡＭ（Video RAM）、液晶ディスプレイ及び液晶駆動回路を備えており、制御部１１から供給される情報に基づいて処理の進行状況や利用者に操作を案内する情報などを表示する。通信部１５は、通信回路や通信インタフェースを備えており、ネットワーク２を介して情報処理装置３と通信を行う。画像読取部１６は、ＣＣＤ（Charge Coupled Device）により構成される光学系部材を備えており、記録用紙に形成されている画像を光学系部材によって読み取り、読み取った画像を表す画像データを生成する。画像形成部１７は、像保持体である感光体ドラム、静電潜像を形成する露光部、静電潜像を現像してトナー像を形成する現像部、そのトナー像を記録用紙へ転写する転写部、及び記録用紙に転写されたトナー像をその記録用紙に定着させる定着部を備えている。この画像形成部１７は、画像読取部１６によって生成された画像データや、通信部１５を介して受信した画像データに応じて、画像を記録用紙に形成する画像形成手段の一例である。
【００１１】
図３は、情報処理装置３の構成を示したブロック図である。
情報処理装置３は、制御部３１、記憶部３２、操作部３３、表示部３４及び通信部３５を備えている。制御部３１は、ＣＰＵ（Central Processing Unit）と、ＲＯＭ（Read Only Memory）と、ＲＡＭ（Random Access Memory）とを備えており、ＣＰＵがＲＯＭや記憶部３２に記憶されているプログラムを実行することによって情報処理装置３の各部を制御する。操作部３３は、キーボードやマウスなどの操作デバイスを備えており、利用者の操作を受け付けて、その操作に応じた信号を制御部３１に供給する。表示部３４は、ＣＲＴディスプレイや液晶ディスプレイなどの表示デバイスを備えており、制御部３１から供給される画像データに基づいて各種の情報を表示する。通信部３５は、通信回路や通信インタフェースを備えており、ネットワーク２を介して画像形成装置１と通信を行う。
【００１２】
記憶部３２は、ＨＤ（Hard Disk）などの不揮発性の補助記憶装置であり、各種のプログラムやデータが記憶されている。記憶部３２に記憶されているプログラムには、文字や図形あるいは表などを複数色で表現した文書を表す文書画像データを作成したり、保存したり、編集したりする手順が記述された文書作成アプリケーションプログラム３２１と、その文書画像データを画像形成装置１が解釈可能なページ記述言語で表現された画像データに変換するための処理手順が記述されたプリンタドライバ３２２とがある。このプリンタドライバ３２２には、前述したＲＧＢ色空間における赤色の範囲（Ｒ，Ｇ，Ｂ）＝（２２０〜２５５，０〜５５，０〜５５）が記述されている。つまり、プリンタドライバ３２２が記憶されている記憶部３２は、赤色の範囲を記憶する赤色記憶手段の一例である。また、このプリンタドライバ３２２には、利用者が文書作成アプリケーションプログラム３２１を実行することによって作成した文書画像データにおいて強調などの目的により赤色で修飾された箇所を、色弱者に対してその箇所が強調などされていることを認識させるための処理（以下、強調対応処理という）の手順が記述されている。この強調対応処理は、文書画像データにおいて赤色で描かれた文字に対して修飾を施すことで、強調などの目的で使われる赤色と、その他の色（典型的には、文書において一般に最も多く使われる色である黒色）との判別を容易にする。以下では、この修飾のことを、網掛け文字飾りという。より具体的には、網掛け文字飾りは、赤色で描かれた文字から成る文字列を含む領域に、網点状の画像（以下、網点画像という）を予め決められた間隔を空けて複数配置する処理である。
【００１３】
（２）動作
利用者は、情報処理装置３に文書作成アプリケーションプログラム３２１を実行させ、表示部３４を参照しながら操作部３３を操作して文書を作成する。このとき、利用者は、操作部３３を操作して文書中で強調などをしたい箇所の文字を赤色とするよう、情報処理装置３に指示することができる。制御部３１は、文書作成アプリケーションプログラム３２１に記述された手順に従い、利用者の操作に応じて文書を表す文書画像データをＲＡＭ等のメモリ上に作成する。このように制御部３１は文書画像データを作成乃至記憶することで、その文書画像データを取得する取得手段の一例である。そして、利用者が、操作部３３を操作して、作成した文書をプリントアウトするよう指示すると、制御部３１は、プリンタドライバ３２２を実行して、図４に示す処理を開始する。
【００１４】
図４において、制御部３１は、文書画像データを解析して、強調対応処理の対象となる赤色が含まれているか否かを判断する（ステップＳ４１）。文書画像データには、文字や図形あるいは表を画像として表現するために、様々な色を表す色情報が含まれている。制御部３１は、これらの色情報と、プリンタドライバ３２２に記述されている赤色の範囲とを照合することで、文書画像データにおいて強調対応処理の対象となる箇所を特定すればよい。制御部３１は、赤色が含まれていると判断した場合には（ステップＳ４１；ＹＥＳ）、強調対応処理を実施するか否かを利用者に確認させるポップアップ画面５を表示部３４に表示する（ステップＳ４２）。
【００１５】
図５は、ポップアップ画面５を示す図である。
ポップアップ画面５には、強調対応処理を実施するか否かを択一的に選択する選択肢であるラジオボタンＲ５１、Ｒ５２が設けられている。利用者は、ラジオボタンＲ５１又はラジオボタンＲ５２のいずれか一方を選択することにより、強調対応処理を実施するか否かを選択することが可能である。ここで、利用者が、操作部３３を操作して、図５に示すように「はい」と表記されているラジオボタンＲ５１を選択し、更にこの画面の右端角部において「ＯＫ」と表記されているソフトボタンＢ５３を選択したとする（ステップＳ４３；ＹＥＳ）。すると、制御部３１は、強調対応処理として、赤色で描かれた文字から成る文字列を含む領域に網掛け文字飾りを施した文書画像データを生成する処理を行う（ステップＳ４４）。
【００１６】
図６は、強調対応処理を説明するフローチャートである。
制御部３１は、文書画像データに含まれる色情報と、プリンタドライバ３２２に記述されている赤色の範囲とを照合することで、赤色で描かれた文字から成る文字列を抽出し、更にその文字列に外接する矩形領域（以下、赤色文字列の外接矩形と称する。）の位置情報を特定する（ステップＳ６１）。そして、制御部３１は、特定された赤色文字列の外接矩形の位置を示す位置情報を、網掛け文字飾りを施す矩形領域の位置情報として、制御部３１のＲＡＭに記憶する設定処理を行う（ステップＳ６２）。
【００１７】
次に、制御部３１は、赤色文字列の外接矩形の面積に応じて、その矩形領域に施す網掛け文字飾りの透過率を定める。網掛け文字飾りの透過率とは、単位面積内において網点画像が無い部分の面積が占める割合のことである。
図７は、文書画像データが表す文書画像において特定された赤色文字列の外接矩形の例を示している。図７の文書画像において、黒色で描かれている文字は、白抜きの文字で、赤色で描かれている文字は、黒色の文字で表現されている。Ｙ方向はいわゆる副走査方向であり、Ｘ方向はいわゆる主走査方向であり、文書画像データに含まれる各画素の位置情報は、ＸＹ座標系で表されるものとする。矩形領域の位置情報は、その矩形領域に含まれる画素のうち、Ｘ，Ｙの値がそれぞれ最小である画素の位置情報（以下、始点座標という）、及び、Ｘ，Ｙの値がそれぞれ最大である画素の位置情報（以下、終点座標という）によって表される。文書画像データＧ７が表す画像における矩形領域Ｋ７は、赤色文字列の外接矩形であり、始点座標を（Ｘ７ｓ，Ｙ７ｓ）、終点座標を（Ｘ７ｅ，Ｙ７ｅ）とする。制御部３１は、特定した赤色文字列の外接矩形の位置情報から、その矩形領域の面積Ｓを算出する。この面積Ｓは、（Ｘ７ｅ−Ｘ７ｓ）×（Ｙ７ｓ−Ｙ７ｅ）という式により算出される。
【００１８】
そして、制御部３１は、算出した面積Ｓが、予め決められた閾値である５０平方ミリメートル以上か未満かを判断して（ステップＳ６３）、その判断結果に応じて、網掛け文字飾りの透過率を決定する。具体的には、制御部３１は、赤色文字列の外接矩形の面積Ｓが第１の閾値の一例である５０平方ミリメートル以上の場合には（ステップＳ６３；ＹＥＳ）、網掛け文字飾りの透過率を９３．７５％として、ＲＡＭに記憶する設定処理を行う（ステップＳ６４）。前述したように、網掛け文字飾りの透過率とは、単位面積内において網点画像が無い部分の面積が占める割合のことであるから、網掛け文字飾りの透過率が９３．７５％ということは、単位面積内において網点画像が有る部分の面積が占める割合は、６．２５％ということになる。この６．２５％は第１の値の一例である。一方、赤色文字列の外接矩形の面積Ｓが５０平方ミリメートル未満の場合には（ステップＳ６３；ＮＯ）、制御部３１は、網掛け文字飾りの透過率を第１の値よりも小さい第２の値の一例である８７．５％として、ＲＡＭに記憶する設定処理を行う（ステップＳ６６）。網掛け文字飾りの透過率が８７．５％ということは、単位面積内において網点画像が有る部分の面積が占める割合は、１２．５％ということになる。この１２．５％は、上記第１の値よりも大きい第２の値の一例である。
【００１９】
図８は、赤色文字列の外接矩形に施された網掛け文字飾りを表す図である。
文書画像データＧ８が表す画像における矩形領域Ｋ８１は、制御部３１によって面積Ｓが５０平方ミリメートル未満であると判断され（図６のステップＳ６３；ＮＯ）、透過率が８７．５％の網掛け文字飾りが施されている。また、矩形領域Ｋ８２には、制御部３１によって面積Ｓが５０平方ミリメートル以上であると判断され（ステップＳ６３；ＹＥＳ）、透過率が９３．７５％の網掛け文字飾りが施されている。
【００２０】
赤色の色相を判別しにくい色弱者であっても、網掛け文字飾りが施されている領域とそれ以外の背景領域とを、その明度差によって区別しやすくなる。よって、赤色で描かれた文字に網掛け文字飾りが施されることで、赤色とその他の色とで描かれた文字を判別しやすくなる。また、赤色で描かれた文字列に含まれる文字の数が少なかったり、その文字のサイズが小さかったりした場合には、赤色文字列の外接矩形の面積は５０平方ミリメートル未満になることがある。この場合、赤色文字列の外接矩形に網掛け文字飾りが施されたとしても、その網掛け文字飾りが施された面積は、文書画像全体の面積に比して比較的小さいため、あまり目立たずに、利用者に対する強調の効果が低い場合がある。そこで、上記のように、赤色文字列の外接矩形の面積が閾値よりも小さい場合には、網掛け文字飾りの透過率を下げて網掛け文字飾りの濃度を濃くする。このようにすると、赤色文字列の外接矩形の領域と、それ以外の背景領域との間の明度差は、上記濃度を濃くする前よりも大きくなる。よって、特に、利用者が色弱者であった場合には、その大きくなった明度差によって、赤色文字列の外接矩形の領域と、それ以外の領域とを区別しやすくなる。一方、赤色文字列の外接矩形の面積は５０平方ミリメートル以上の場合には、透過率を上げて網掛け文字飾りの濃度を薄くしている。これは、網掛け文字飾りの濃度が濃すぎると、赤色文字のエッジ部分（文字と背景との境界）が網掛け文字飾りと重なって不鮮明になり、文字を読みづらくなることや、網掛け文字飾りの濃度を薄くするとトナー量の節約に寄与するという理由による。
【００２１】
図６の説明に戻る。制御部３１は、網掛け文字飾りの透過率を設定すると、網掛け文字飾りを施す矩形領域を拡張するか否かを決定するための処理に移行する。
まず、ステップＳ６４において、制御部３１は、網掛け文字飾りの透過率を９３．７５％に設定すると、赤色文字列の外接矩形に含まれる各画素の色情報と、プリンタドライバ３２２に記述されている赤色の範囲とを照合することで、赤色文字の被覆率を算出する。赤色文字の被覆率とは、赤色文字列の外接矩形の面積に対して赤色の文字を構成する画素群が占める割合である。そして、制御部３１は、その被覆率が第２の閾値の一例である３０％以上か未満かを判別して（ステップＳ６５）、その判別結果に応じて、網掛け文字飾りを施す矩形領域を拡張するか否かを決定する。具体的には、制御部３１は、被覆率が３０％以上であるという場合には（ステップＳ６５；ＹＥＳ）、赤色文字列の外接矩形の大きさを拡張する（ステップＳ６８）。一方、その判別結果が、被覆率が３０％未満であるという場合には（ステップＳ６５；ＮＯ）、赤色文字列の外接矩形を拡張する処理を行わない。
【００２２】
図９は、赤色文字列の外接矩形に施された網掛け文字飾りを表す図である。
文書画像データＧ９が表す画像には、「薔薇の花」（「薔薇」が赤色で「の花」が黒色）と「バラの花」（「バラ」が赤色で「の花」が黒色）という文字が描かれているものとし、「薔薇」という赤色文字の被覆率は３０％以上、「バラ」という赤色文字の被覆率は３０％未満であるとする。制御部３１は、「薔薇」の赤色文字列の外接矩形である矩形領域Ｋ９１ａにおいて算出された被覆率が３０％以上であると判断すると（図６のステップＳ６５；ＹＥＳ）、その矩形領域Ｋ９１ａの大きさを拡張する処理を実施する（ステップＳ６８）。具体的には、制御部３１は、矩形領域Ｋ９１ａを、主走査方向、副走査方向、主走査方向の逆方向、及び副走査方向の逆方向に、それぞれ１ミリメートルずつ拡張した矩形領域Ｋ９１ａ’を、網掛け文字飾りが施される矩形領域として、ＲＡＭに記憶する設定処理を行う（ステップＳ６８）。例えば、矩形領域Ｋ９１の位置情報を、始点座標（Ｘ９１ｓ，Ｙ９１ｓ）、及び終点座標（Ｘ９１ｅ，Ｙ９１ｅ）とし、拡張後の矩形領域Ｋ９１’の位置情報を、始点座標（Ｘ９１ｓ’，Ｙ９１ｓ’）、及び終点座標（Ｘ９１ｅ’，Ｙ９１ｅ’）とした場合、それぞれの座標の関係は、以下のようになる。
（Ｘ９１ｓ’，Ｙ９１ｓ’）＝（Ｘ９１ｓ−１ミリメートル，Ｙ９１ｓ−１ミリメートル）
（Ｘ９１ｅ’，Ｙ９１ｅ’）＝（Ｘ９１ｅ＋１ミリメートル，Ｙ９１ｅ＋１ミリメートル）
一方、制御部３１は、「バラ」という赤色文字が描かれた矩形領域Ｋ９２においては、被覆率が３０％という閾値未満であると判断するから（ステップＳ６５；ＮＯ）、矩形領域Ｋ９２の大きさを拡張する処理を実施しない。つまり、網掛け文字飾りを施す矩形領域の位置情報は、ステップＳ６２でＲＡＭに記憶されたままとなる。
【００２３】
一文字の画数が多いなどの理由により、赤色文字の被覆率が３０％という閾値以上となる場合に、赤色文字列の外接矩形に網掛け文字飾りが施されると、赤色文字のエッジ部分と網掛け文字飾りとが重なる部分が増え、文字が読みづらくなって強調の効果が薄れることがある。そこで、上記のように、赤色文字の被覆率が閾値以上の場合に、網掛け文字飾りの矩形領域の大きさを拡張する。このようにすると、網掛け文字飾りが施された面積は、その拡張前に比べて、文書画像全体の面積に比して大きくなり、目立ちやすくなる。これにより、網掛け文字飾りが施される矩形領域に変化がない場合と比べて、色弱者は、赤色とその他の色とで描かれた文字の存在を認識しやすくなる。
【００２４】
再び図６の説明に戻る。制御部３１は、ステップＳ６６において網掛け文字飾りの透過率を８７．５％に設定すると、赤色文字列の外接矩形の位置から予め決められた距離の範囲内に、別の赤色文字列の外接矩形が存在するか否かを判別する（ステップＳ６７）。予め決められた距離とは、例えば１００ミリメートルであり、第３の閾値の一例である。制御部３１は、その判別結果が、１００ミリメートルの範囲内に別の赤色文字列の外接矩形が存在しないという場合には（ステップＳ６７；ＮＯ）、赤色文字列の外接矩形の大きさを拡張する（ステップＳ６８）。一方、その判別結果が、１００ミリメートルの範囲内に別の赤色文字列の外接矩形が存在するという場合には（ステップＳ６７；ＹＥＳ）、制御部３１は、赤色文字列の外接矩形の大きさを拡張する処理を行わない。つまり、制御部３１は、赤色文字列の外接矩形が複数ある場合に、お互いの間の距離が閾値を超えるような外接矩形の面積を拡張する。
【００２５】
図１０は、赤色文字列の外接矩形に施された網掛け文字飾りを表す図である。
文書画像データＧ１０には、「注意する」、「バラの花」、及び「薔薇の花」の文字が描かれている。図において、「注意」が赤色で、「する」が黒色である。また、「薔薇」が赤色で「の花」が黒色である。また、「バラ」が赤色で「の花」が黒色である。制御部３１は、まず、「注意」の赤色文字列の外接矩形に該当する矩形領域Ｋ１０１に着目し、この矩形領域Ｋ１０１を、主走査方向、副走査方向、主走査方向の逆方向、及び副走査方向の逆方向に、それぞれ１００ミリメートルずつ拡張した境界線上を含む走査矩形領域Ｓ１０１の範囲内を走査して、別の赤色文字列の外接矩形が存在するか否かを判断する（図６のステップＳ６７）。ここでは、図示の通り、走査矩形領域Ｓ１０１の範囲内に別の赤色文字列の外接矩形は含まれないから、制御部３１は、走査矩形領域Ｓ１０１の範囲内に別の赤色文字列の外接矩形が存在しないと判断し（ステップＳ６７；ＮＯ）、先述したステップＳ６７と同様にして矩形領域Ｋ１０１を、主走査方向、副走査方向、主走査方向の逆方向、及び副走査方向の逆方向に、それぞれ１ミリメートルずつ拡張した矩形領域Ｋ１０１’を網掛け文字飾りが施される矩形領域として、ＲＡＭに記憶する設定処理を行う（ステップＳ６８）。
また、制御部３１は、「バラ」の文字が描かれた矩形領域Ｋ１０２についても同様に、矩形領域Ｋ１０２を、主走査方向、副走査方向、主走査方向の逆方向、及び副走査方向の逆方向に、それぞれ１００ミリメートルずつ拡張した境界線上を含む走査矩形領域Ｓ１０２の範囲内に、別の赤色文字列の外接矩形が存在するか否かを判断する（ステップＳ６７）。ここでは、制御部３１は、走査矩形領域Ｓ１０２の範囲内に赤色文字列の外接矩形である「薔薇」の文字が描かれた矩形領域Ｋ１０３が存在すると判断するから（ステップＳ６７；ＹＥＳ）、矩形領域Ｋ１０２を拡張する処理を実施しない。つまり、網掛け文字飾りを施す矩形領域の位置情報は、ステップＳ６２でＲＡＭに記憶されたままとなる。そして、ステップＳ６９において、制御部３１は、以上の強調対応処理によってＲＡＭに記憶された透過率と、始点座標と終点座標からなる位置情報を基に作成した網掛け文字飾りを施した文書画像データを生成する（ステップＳ６９）。つまり、制御部３１は、赤色の文字の画像を含む領域内に、決められた模様の画像である模様画像が配置された画像データを生成する生成手段の一例である。
【００２６】
網掛け文字飾りを施す赤色文字列の外接矩形の近傍（つまり閾値１００ミリメートルの範囲内）に、他の赤色文字列の外接矩形が存在しない場合には、単一の赤色文字列の外接矩形が孤立した状態と言える。このような赤色文字列の外接矩形に対して網掛け文字飾りを施したとしても、その外接矩形は文書全体に対して限られた領域しか占めないので、色弱者はその存在に気づかない可能性がある。そこで、上記のように、そのような網掛け文字飾りの矩形領域の大きさを拡張すると、網掛け文字飾りが施された面積は、その拡張前に比べて、文書画像全体の面積に比して大きくなり、目立ちやすくなる。よって、網掛け文字飾りが施される矩形領域に変化がない場合と比べて、色弱者は、赤色とその他の色とで描かれた文字の存在を認識しやすくなる。
【００２７】
図４の説明に戻る。制御部３１は、強調対応処理後の文書画像データを、画像形成装置１が処理可能なページ記述言語で表現された画像データに変換するための画像処理を行う（ステップＳ４５）。次に、制御部３１は、画像データと、その画像データに応じた画像を形成する指示とを、通信部３５から画像形成装置１に対して送信する（ステップＳ４６）。そして、画像形成装置１の通信部１５が情報処理装置３から上記画像データ及び指示を受信すると、制御部１１は、その画像データをビットマップ化し、画像形成部１７を制御して画像を記録用紙に形成させる。
【００２８】
なお、ステップＳ４１において、制御部３１は、赤色で描かれた文字が含まれていないと判断した場合には（ステップＳ４１；ＮＯ）、上述したステップＳ４２〜Ｓ４４の処理をスキップして、ステップＳ４５の画像処理に進む。また、ステップＳ４３において、利用者の操作部３３の操作によって、「いいえ」のラジオボタンＲ５２が選択され、更にこの画面において「ＯＫ」と表記されているソフトボタンＢ５３が選択されると（ステップＳ４３；ＮＯ）、制御部３１は、上述したステップＳ４４の処理をスキップして、ステップＳ４５の画像処理に進む。
【００２９】
（３）変形例
（変形例１）
実施形態において、情報処理装置３の制御部３１がプリンタドライバ３２２を実行することによって強調対応処理を行っていたが、強調対応処理を行う主体や、強調対応処理の手順が記述されたプログラムは、これらに限定されるものではない。強調対応処理の手順は、プリンタドライバ３２２とは別のプログラム、例えば、情報処理装置３が記憶している文書作成アプリケーションプログラムに記述されていてもよいし、また、画像形成装置１が記憶しているコンピュータプログラムに記述されていてもよい。後者の場合、画像形成装置１が強調対応処理を実行するので、例えば、画像読取部１６が読み取った画像を表す画像データに対しても強調対応処理を行うことが可能となる。よって、複写を行うときにも、色弱者が赤色とその他の色とを判別しやすい複写物を作成することができる。
また、情報処理装置３の制御部３１が、ソフトウェアであるプログラムを実行することによって強調対応処理を行うのではなく、ＡＳＩＣ（Application Specific Integrated Circuit）などのアナログ回路がプログラムに拠らずに強調対応処理を行ってもよい。
【００３０】
（変形例２）
赤色の範囲は、ＲＧＢ色空間以外の任意の色空間で定義することが可能であり、要は、どのような色空間であっても、色弱者がその他の色と判別にしにくい赤色の範囲でありさえすればよい。例えばプリンタドライバ３２２に初期設定された赤色の範囲は、ＲＧＢ色空間の表現において（Ｒ，Ｇ，Ｂ）＝（２２０〜２５５，０〜５５，０〜５５）の範囲で表わされる色としたが、色相（Hue）、彩度（Saturation）、輝度（Lightness）の３つの要素で色を表現するＨＬＳ色空間において定義されていてもよい。ＨＬＳ色空間の場合、赤色の範囲を例えばＨ＝２５０〜２５５及び０〜８、Ｌ＝２２０〜２５５、Ｓ＝１１８〜１５３としてもよい。なお、ここでは、Ｈ＝０°〜３６０°を８ビットで表現して、Ｈ＝０〜２５５としている（Ｈ＝０°のとき、Ｈ＝０，Ｈ＝３６０°のときＨ＝２５５）。同様に、Ｓ＝０（０％）〜１（１００％）を８ビットで表現して、Ｓ＝０〜２５５としている（Ｓ＝０％のとき、Ｓ＝０，Ｓ＝１００％のときＳ＝２５５）。また、Ｌ＝０（０％）〜１（１００％）を８ビットで表現して、Ｌ＝０〜２５５としている（Ｌ＝０％のとき、Ｌ＝０，Ｌ＝１００％のとき、Ｌ＝２５５）。
【００３１】
（変形例３）
実施形態において、網掛け文字飾りとは、赤色で描かれた文字からなる文字列の外接矩形を含んだ矩形領域内に予め決められた間隔を空けて複数の網点画像を配置するという文字飾りであったが、赤色の文字を強調するために行う処理は、これに限定されるものではない。
赤色で描かれた文字を強調する処理は、赤色で描かれた文字を含む領域内に、決められた模様の画像である模様画像を配置する、という処理であればどのようなものであってもよい。そして、赤色で描かれた文字を含む領域の形状は、直線のみで構成された矩形形状に限らず、矩形の頂点に相当する部分が湾曲した形状などのように、曲線によって構成された形状であってもよい。また、決められた模様とは、実施形態にて例示したような、予め決められた間隔で配置された複数の網点画像のほか、同一方向に延びる線分画像を予め決められた間隔で複数配置したものなどであってもよいし、矩形領域内を格子状の画像や予め決められた模様や形状を有する複数の画像で埋めたものであってもよい。ただし、この画像は、文字を読むのにそれほど邪魔にならない模様の画像であることが望ましい。
また、網掛け文字飾りの透過率や、赤色で描かれた文字を含む領域を拡張するときのその拡張の度合い、更に上述した各閾値は、実施形態に開示された例に限定されない。
また、赤色で描かれた文字を含む領域を拡張しないときであっても、その領域には網掛け文字飾りを施すが、その網掛け文字飾りを施す対象となる領域は、実施形態のように赤色の文字列の外接矩形の矩形領域であってもよいし、その外接矩形よりも予め決められた大きさだけ大きい矩形領域であってもよい。後者の場合に領域を拡張するときには、制御部３１は、その矩形領域よりも更に大きい領域へと拡張することになる。
【００３２】
（変形例４）
実施形態において、強調対応処理の対象となる赤色の文字の画像が文書画像データに含まれていた場合に、強調対応処理を実施するか否かを確認するポップアップ画面５を表示する処理が含まれていた。ただし、このように、赤色文字列が文書画像に含まれていることが分かってから、強調対応処理を実施するか否かを指定するのではなく、文書画像に対して強調対応処理を実施するか否かを予め指定しておいてもよい。この場合、図１１に示すような強調対応処理の内容を設定するための画面ＰＧ１１を表示し、その画面において指定された内容を設定する手順がプリンタドライバ３２２に記述されている。
利用者は、操作部３３を操作して、プリンタドライバ３２２のプロパティ画面の１つである強調対応処理の内容を設定するための画面ＰＧ１１を表示させるための指示をする。制御部３１は、利用者からの指示を受けると、強調対応処理の内容を設定するための画面ＰＧ１１を表示部３４に表示する。画面ＰＧ１１には、強調対応処理の内容を択一的に選択する選択肢であるラジオボタンＲ１１、Ｒ１２、Ｒ１３が設けられており、利用者はラジオボタンＲ１１、Ｒ１２、Ｒ１３の何れか一方を選択することが可能である。利用者が、操作部３３を操作して、ラジオボタンＲ１１を選択し、更にこの画面の右端角部において「ＯＫ」と表記されているソフトボタンＢ１４を選択したとする。この場合、制御部３１は、網掛け文字飾りを施す処理を実施しない。また、利用者が、ラジオボタンＲ１２を選択し、更にソフトボタンＢ１４を選択したとする。この場合、制御部３１は、強調対応処理として図６に示すフローに基づいて透過率と矩形領域の大きさが決められた網掛け文字飾りを施す処理を実施する。また、利用者が、ラジオボタンＲ１３と、強調対応処理として実施したい処理内容を示す矩形領域Ｋ１３の領域内に設けられたチェックボックスＣ１３ａ、Ｃ１３ｂを選択し、更にソフトボタンＢ１４を選択したとする。この場合、制御部３１は、矩形領域Ｋ１３の領域内に設けられたチェックボックスＣ１３ａ、Ｃ１３ｂで指定された強調対応処理の内容に基づいて透過率と矩形領域の大きさが決められた網掛け文字飾りを施す処理を実施する。
【００３３】
（変形例５）
実施形態で説明した図６のフローチャートには以下の３つの処理が含まれていたが、制御部３１は、これらの処理のうちの少なくとも１つのみを行ってもよいし、また、いずれか２つを組み合わせて行ってもよい。
（処理１）
赤色の文字の画像を含む領域の大きさが閾値以上の場合には、模様画像の透過率を第１の値とした画像データを生成し、赤色の文字の画像を含む領域の大きさが閾値未満の場合には、模様画像の透過率を前記第１の値よりも小さい第２の値とした画像データを生成する処理（図６のステップＳ６３，Ｓ６４，Ｓ６６，Ｓ６９）。
なお、赤色の文字の画像を含む領域の大きさを区別する閾値は、１つのみではなく複数設けられていてもよい。閾値が複数設けられた場合には、模様画像の透過率も複数設けられる。これにより、例えば、赤色の文字の画像を含む領域の大きさが小さくなればなるほど模様画像の透過率を小さくするなどの、領域の大きさと透過率とが比例関係にあるような処理も行える。
（処理２）
赤色の文字の画像を含む領域の面積に対して当該赤色の文字の画像の面積の占める割合が閾値以上の場合は、当該赤色の文字の画像を含む領域の面積を拡張した画像データを生成する処理（図６のステップＳ６５，Ｓ６８，Ｓ６９）。
（処理３）
赤色の文字の画像を含む領域が複数存在し、更に互いの領域間の距離が閾値を超える場合には、当該赤色の文字の画像を含む領域の面積を拡張した画像データを生成する処理（図６のステップＳ６７，Ｓ６８，Ｓ６９）。
【符号の説明】
【００３４】
１…画像形成装置、２…ネットワーク、３…情報処理装置、１１…制御部、１２…記憶部、１３…操作部、１４…表示部、１５…通信部、１６…画像読取部、１７…画像形成部、３１…制御部、３２…記憶部、３２１…文書作成アプリケーションプログラム、３２２…プリンタドライバ、３３…操作部、３４…表示部、３５…通信部。
【図１】
2010231278.tif 000003
【図２】
2010231278.tif 000004
【図３】
2010231278.tif 000005
【図４】
2010231278.tif 000006
【図５】
2010231278.tif 000007
【図６】
2010231278.tif 000008
【図７】
2010231278.tif 000009
【図８】
2010231278.tif 000010
【図９】
2010231278.tif 000011
【図１０】
2010231278.tif 000012
【図１１】
2010231278.tif 000013